(57)【要約】      （修正有）【課題】旅先においてもスマートフォンの電池を充電することができる機能を備えたキャリーケースを提供する。【解決手段】キャリーケース１において、該キャリーケース１が縦置き若しくは横置きされたときに該キャリーケース１の上面となる該キャリーケース１の外面の一部からなるスマホ載置面と、所定の受電コイルを有するチャージャーアダプタが装着されたスマホ１１をワイヤレス充電することができるように構成された送電コイルを有する充電器であって、スマホ載置面の位置における該キャリーケース１の内側に設けられた充電器と、を備える、スマホ充電機能を有するキャリーケース１を提供する。【選択図】図４
0003212279.tif 000002
【実用新案登録請求の範囲】
【請求項１】
キャリーケースにおいて、
該キャリーケースが縦置き若しくは横置きされたときに該キャリーケースの上面となる該キャリーケースの外面の一部からなるスマホ載置面と、
所定の受電コイルを有するチャージャーアダプタが装着されたスマホをワイヤレス充電することができるように構成された送電コイルを有する充電器であって、上記スマホ載置面の位置における該キャリーケースの内側に設けられた充電器と、
を備える、スマホ充電機能を有するキャリーケース。
【請求項２】
キャリーケースにおいて、
該キャリーケースが縦置き若しくは横置きされたときに該キャリーケースの上面となる該キャリーケースの外面の一部からなるスマホ載置面であって、所定の受電コイルを有するチャージャーアダプタが取り付けられたスマホ載置面と、
上記チャージャーアダプタのコネクタに繋がれたとした場合におけるスマホをワイヤレス充電することができるように、上記受電コイルと相互作用する送電コイルを有する充電器であって、上記スマホ載置面の位置における該キャリーケースの内側に設けられた充電器と、
を備える、スマホ充電機能を有するキャリーケース。
【請求項３】
上記スマホ載置面を取り囲むように、所定の高さを有する周囲壁が上記外面上に配置されていることを特徴とする請求項１又は請求項２に記載のスマホ充電機能を有するキャリーケース。
【請求項４】
該キャリーケースの少なくとも１つのキャスタの車輪の回転を利用して発電することができるように構成された発電機をさらに備え、
上記発電機で発生した電気エネルギを上記充電器のコンデンサに蓄電することができるように、上記発電機と上記コンデンサとが電気的に接続されていることを特徴とする請求項１〜３のいずれかに記載のスマホ充電機能を有するキャリーケース。
【考案の詳細な説明】
【技術分野】
【０００１】
本考案は、旅行などの際に使用されるキャスタ付き鞄つまりキャリーケースに関し、詳しくは、スマートフォンの充電機能を有するキャリーケースに関する。
【背景技術】
【０００２】
多彩な機能を有するスマートフォン（以下、単に「スマホ」という。）は、今や日常生活の必需品であり、旅行中にも常に携帯している人が多い。このようなスマホの電池が旅先で切れたときに、運が良ければすぐに充電することができる。例えば、新幹線には電源があるので、乗車中にスマホを充電することができる。また最近は、スマホ充電用の電源を提供しているコーヒー店なども増えている。
【０００３】
しかし、スマホ充電用の電源を提供する店が見つからないこともあるし、たとえ見つかったとしても先客に使われていることもあるので、予備のバッテリ・パックを持ち歩くことを考える人も多い。そこで、旅行などに使用されるキャリーケースの上面に充電機能を備えていれば、旅の休憩中などに該キャリーケースの上面にスマホを載せるだけで簡単に充電することができるので、便利であろう。
【０００４】
また、キャリーケースを牽引する人の労力の一部を電気エネルギに変換して、この電気エネルギをスマホの充電に利用することができれば更に便利であろう。
【先行技術文献】
【特許文献】
【０００５】
【特許文献１】特開２０１６−８２７３９号公報
【考案の概要】
【考案が解決しようとする課題】
【０００６】
キャリーケースの使用者が、キャリーケースの上面の所定の位置にスマホを置くだけで、スマホの充電をすることができるとよい。また、使用者がキャリーケースを牽引する労力を電気エネルギに変換し、変換された電気エネルギをスマホの充電に使用することができると更によい。
【課題を解決するための手段】
【０００７】
本考案の一実施例においては、キャリーケースにおいて、キャリーケースが縦置き若しくは横置きされたときにキャリーケースの上面となる該キャリーケースの外面の一部からなるスマホ載置面と、所定の受電コイルを有するチャージャーアダプタを装着したスマホをワイヤレス充電することができるように構成された送電コイルを有する充電器であって、スマホ載置面の位置における該キャリーケースの内側に設けられた充電器と、を備える、スマホ充電機能を有するキャリーケースを提供する。
【０００８】
本考案の他の実施例においては、キャリーケースにおいて、該キャリーケースが縦置き若しくは横置きされたときに該キャリーケースの上面となる該キャリーケースの外面の一部からなるスマホ載置面であって、所定の受電コイルを有するチャージャーアダプタが取り付けられたスマホ載置面と、チャージャーアダプタのコネクタに繋がれたとした場合におけるスマホをワイヤレス充電することができるように、受電コイルと相互作用する送電コイルを有する充電器であって、スマホ載置面の位置における該キャリーケースの内側に設けられた充電器と、を備える、スマホ充電機能を有するキャリーケースを提供する。
【０００９】
さらなる実施例においては、スマホ載置面を取り囲むように、所定の高さを有する周囲壁が外面上に配置されていることを特徴とする。
【００１０】
さらなる実施例においては、該キャリーケースの少なくとも１つのキャスタの車輪の回転を利用して発電することができるように構成された発電機をさらに備え、発電機で発生した電気エネルギを充電器のコンデンサに蓄電することができるように、発電機とコンデンサとが電気的に接続されていることを特徴とする。
【図面の簡単な説明】
【００１１】
【図１】本考案のキャリーケースの一実施例を示す斜視図。
【図２】チャージャーアダプタが装着されたスマホの斜視図。
【図３】キャリーケースにスマホが置かれた状態を示す斜視図。
【図４】キャリーケースにスマホが置かれた状態を示す斜視図。
【図５】チャージャーアダプタが組み込まれたスマホケースを示す図。
【図６】キャリーケースにチャージャーアダプタが設置された状態を示す斜視図。
【図７】キャリーケース内に配置された充電器を概略的に示す図。
【図８】スマホ保持具が設けられたキャリーケースを示す斜視図。
【図９】カバーが設けられたキャリーケースを示す斜視図。
【図１０】カバーの一実施例を示す斜視図。
【図１１】キャスタに設けられた発電機の一実施例を概略的に示す図。
【考案を実施するための形態】
【００１２】
本考案のスマホ充電機能を有するキャリーケースについて、添付の図面を参照しつつ説明する。
【００１３】
図１は、本考案の一実施例におけるキャリーケース１を示す斜視図である。キャリーケース１は、ファスナ２のスライダ２ａを動かして開閉することのできる身側シェル３及び蓋側シェル４を備える。本考案の他の実施例においては、キャリーケース１が硬質なシェルを備えていない場合もある。また、使用者が牽引して運ぶことができるように、キャスタ５、及び伸縮自在のキャリーハンドル６を備えている。加えて、キャリーケース１を手で提げて持ち運ぶことができるように、手提げハンドル７や手提げハンドル８を備えている。
【００１４】
キャリーケース１は、該キャリーケース１の外面上の所定の位置（スマホ載置面）に置かれたスマホ１１を充電するための電磁誘導方式又は磁気共鳴方式の充電器１３を備える。スマホ１１が置かれる所定の（スマホ載置面）は、キャリーケース１の外面９又は外面１０の一部からなる。
【００１５】
また、スマホ１１のケースや該スマホ１１が置かれる位置（スマホ載置面）のシェルが、樹脂素材や布素材などの非金属の素材から形成されている場合には、電磁誘導方式の充電器１３が適していると考えられる。また、スマホ１１のケースや該スマホ１１が置かれる位置のシェルが、金属の素材から形成されている場合には、磁気共鳴方式の充電器１３が適していると考えられる。
【００１６】
図２に示されるように、受電コイル１２ａを有するチャージャーアダプタ１２がスマホ１１に装着されていれば、使用者がそのスマホ１１をスマホ載置面に置くだけで、送信コイル１３ａを有する充電器１３が作動して充電が開始される。
【００１７】
図３に示される一実施例においては、スマホ１１が置かれる所定の位置（スマホ載置面）は、キャリーケース１が縦置きされたときに該キャリーケース１の上面となる該キャリーケース１の外面９の一部からなる。
【００１８】
図４に示される一実施例においては、スマホ１１が置かれる位置（スマホ載置面）は、キャリーケース１が横置きされたときに該キャリーケース１の上面となる該キャリーケース１の外面１０の一部からなる。
【００１９】
図５は、ｉＰｈｏｎｅ（登録商標）用のチャージャーアダプタ１２が組み込まれたスマホケース２４（図５（ａ）を参照）と、Ａｎｄｒｏｉｄ（登録商標）スマホ用のチャージャーアダプタ１２が組み込まれたスマホケース２５（図５（ｂ）を参照）と、を示している。これらのスマホケース２４，２５と共にスマホ１１をスマホ載置面に置いて充電することができるように、充電器１３がｉＰｈｏｎｅ（登録商標）とＡｎｄｒｏｉｄ（登録商標）の両方の規格に対応するアダプタを備えているとよい。或いは、キャリーケース１が両方の規格にそれぞれ対応する充電器１３を付属品として備えていることにより、使用者のスマホ１１の規格に適した専用の充電器１３に交換することにより充電することができる。
【００２０】
図６に示される一実施例においては、受電コイル１７ａを有するチャージャーアダプタ１７が、（スマホ１１にではなく）キャリーケース１の外面９上の所定の位置（スマホ載置面）に取り付けられている。この場合、キャリーケース１の使用者が、キャリーケース１のスマホ載置面にスマホ１１を置いて、チャージャーアダプタ１７のコネクタにスマホ１１を繋ぐことにより、スマホ１１の充電が開始される。
【００２１】
図７は、図６に示したキャリーケース１の断面を示す図である。スマホ１１が置かれる位置（スマホ載置面）は、キャリーケース１のシェル３，４の外面９の一部からなる。また、ワイヤレス充電することができる充電器１３の送電コイル１３ａが、蓋側シェル４の内面４ａに設置されており、この送電コイル１３ａとの相互作用で誘導電流を生じさせる受電コイル１７ａが、蓋側シェル４の外面９の一部からなるスマホ載置面に取り付けられている。また、充電器１３のコンデンサ（二次電池）１４がポケット１５に収納されている。ポケット１５は、ファスナ１６のスライダ１６ａを動かして開閉することができる。
【００２２】
図８に示されるキャリーケース１においては、スマホ１１が置かれる位置（スマホ載置面）に、スマホ保持具が設けられている。
【００２３】
図８（ａ）に示されるキャリーケース１においては、スマホ保持具としての保持バンド１８を使用してキャリーケース１の上面のスマホ載置面にスマホ１１が保持されている。保持バンドは、ゴム等の伸縮性を有する素材から形成されているとよい。
【００２４】
図８（ｂ）に示されるキャリーケース１においては、スマホ１１の落下を防ぐために、所定の高さ（例えば、５ｍｍ程度の高さ）を有する周囲壁１９がスマホ載置面を取り囲むようにシェル３，４上に配置されている。この周囲壁１９は、例えば、シリコン素材等の柔軟な素材から形成されているとよい。
【００２５】
図８（ｃ）に示されるキャリーケース１においては、スマホ保持具としての保持シート２０が、該キャリーケース１の外面９との間にスマホ１１の一端部を挟むことによりスマホ１１を保持する。この保持シート２０は、シリコン素材等の柔軟な素材から形成されているとよい。
【００２６】
図９に示されるキャリーケース１においては、該キャリーケース１の外面９の一部からなるスマホ載置面に、ポケットの形状に形成されたカバー２１が設けられている。
【００２７】
図９に示されるキャリーケース１においては、該キャリーケース１が縦置きされたときに上面となる該キャリーケース１の外面９の一部からなるスマホ載置面に、スマホ１１を収容し得るカバー２１が設けられている。一実施例においては、カバー２１に収容されたスマホ１１を充電することができるように構成されている。
【００２８】
図１０は、他の実施例におけるカバー２１を示す。図１０（ａ）に示されるように、カバー２１はスマホ１１の挿入口２１ａを有するともに開口２１ｃを有し、奥の端部２１ｂへ向かって先細となる形状に形成されている。カバー２１は、シリコン素材等の柔軟性を有する素材で形成されている。図１０（ｂ）に示されるように、挿入口２１ａからカバー２１内へスマホ１１が差し込まれた後、該スマホ１１の両側が柔軟な素材に挟まれて安定する。また、カバー２１内に侵入した塵や埃が開口２１ｃから排出され得る。
【００２９】
図１１に示されるキャリーケース１においては、少なくとも１つのキャスタ５の車輪５ａの回転を利用して発電することができるように構成された発電機をさらに備える（図１１（ａ）は、キャリーケース１の側面図であり、図１１（ｂ）は、キャリーケース１の底面図である）。図１１に示される実施例においては、発電機は、キャスタ５の車輪５ａの側面（回転面）５ｂに設けられた磁石２２と、該磁石２２の磁界内に設けられたコイル２３と、を含んでなる電磁誘導方式の発電機である。一実施例においては、発電機のコイル２３は、キャスタ受け５ｃに取り付けられている。この場合に、使用者がキャリーケース１を牽くときに発電機で発生した電気エネルギがスマホ１１の充電器１３のコンデンサ１４に蓄電され得るように、キャスタ受け５ｃの支持杆内に延在する電気コード（図示せず）を介して、発電機のコイル２３とコンデンサ１４とが電気的に接続されている。
【００３０】
他の実施例においては、図１１に示されている発電機の構成に限定されない。例えば、キャリーケース１の内側に発電機が設けられており、キャスタ５の車輪５ａの回転がギア等を介して発電機まで伝達されて発電するように構成されている場合もある。その場合にも、当該発電機で発生した電気エネルギが充電器１３のコンデンサ１４に蓄電され得るように、発電機とコンデンサ１４とが電気的に接続されている。
【００３１】
以上のように、本考案のキャリーケース１は、旅先などでスマホの電池容量が低下した場合にも、キャリーケースの外面上のスマホ載置面にスマホ１１を置くだけで充電することができるという利点がある。さらには、使用者が該キャリーケースを牽引するときの労力を電気エネルギに変換してスマホの充電に利用できるという利点もある。
【００３２】
なお、使用される充電器１３の型式に応じて、キャリーケース１の上面にスマホ１１が置かれたときに自動的に充電を開始する場合もあれば、キャリーケース１の使用者が手動でスイッチを操作することにより充電を開始する場合もある。
【符号の説明】
【００３３】
１…キャリーケース
２…ファスナ
２ａ…スライダ
３…身側シェル
４…蓋側シェル
４ａ…内面
５…キャスタ
５ａ…車輪
５ｂ…側面（回転面）
５ｃ…キャスタ受け
６…キャリーハンドル
７…手提げハンドル
８…手提げハンドル
９…外面
１０…外面
１１…スマホ
１２…チャージャーアダプタ
１２ａ…受電コイル
１３…充電器
１３ａ…送電コイル
１４…コンデンサ
１５…ポケット
１６…ファスナ
１６ａ…スライダ
１７…チャージャーアダプタ
１７ａ…受電コイル
１８…保持バンド
１９…周囲壁
２０…保持シート
２１…カバー
２１ａ…挿入口
２１ｂ…奥の端部
２１ｃ…開口
２２…磁石
２３…コイル
２４…スマホケース（ｉＰｈｏｎｅ（登録商標）用）
２５…スマホケース（Ａｎｄｒｏｉｄ（登録商標）用）
【図１】
0003212279.tif 000003
【図２】
0003212279.tif 000004
【図３】
0003212279.tif 000005
【図４】
0003212279.tif 000006
【図５】
0003212279.tif 000007
【図６】
0003212279.tif 000008
【図７】
0003212279.tif 000009
【図８】
0003212279.tif 000010
【図９】
0003212279.tif 000011
【図１０】
0003212279.tif 000012
【図１１】
0003212279.tif 000013